(57)【要約】      （修正有）【課題】自然換気の効果を利用して省電力に達成し、屋内及び屋根の温度を下げることができる通気屋根を有する建物屋根の構造を提供する。【解決手段】骨組み１０と中空部材と防水層１４と断熱板１６とからなる。各中空部材は骨組みの上に架設され、防水層を中空部材の上にふ設し、防水層の上方に断熱板が設けられる。これにより、屋内から上昇する熱気、及び、屋根が直射日光にさらされて蓄積した熱がいずれも中空部材が形成した放熱空間を経由して発散し、自然換気や放熱により屋内の温度降下を実現する。【選択図】図１
0003187950.tif 000002
【実用新案登録請求の範囲】
【請求項１】
建物頂部に建てられた骨組みと、
前記骨組みに架設された少なくとも１個の中空部材と、
前記中空部材の上にふ設された防水層と、
前記防水層の上方位置に設けられ断熱板と、
を含むことを特徴とする建物屋根の構造。
【請求項２】
前記中空部材は、主に複数の仕切板からなり、各前記仕切板で通気用に供する複数の放熱空間を形成することを特徴とする請求項１に記載の建物屋根の構造。
【請求項３】
前記中空部材は、主に放熱空間を有する複数の中空レンガからなり、各前記中空レンガがアレイ方法で前記防水層の上方に配置されることを特徴とする請求項１に記載の建物屋根の構造。
【請求項４】
前記中空部材は、主に放熱空間を有する複数の中空長方形レンガからなり、各前記中空長方形レンガが並列方法で前記防水層の上方に配置されることを特徴とする請求項１に記載の建物屋根の構造。
【請求項５】
各前記レンガに別の前記レンガと互いに結合して固定できる接合部が設けられることを特徴とする請求項３、又は、４に記載の建物屋根の構造。
【請求項６】
各前記中空部材の換気口に取り付けられる複数の隔離網を更に含むことを特徴とする請求項１〜４のいずれか一項に記載の建物屋根の構造。
【請求項７】
前記断熱板の末端に雨水排水を導くための少なくとも１個の案内板に取り付けられることを特徴とする請求項１に記載の建物屋根の構造。
【請求項８】
前記案内板の上に複数の排水孔が設けられることを特徴とする請求項７に記載の建物屋根の構造。
【請求項９】
前記案内板に対応すると共に雨水を集める集水槽を前記骨組みに取り付けることを特徴とする請求項８に記載の建物屋根の構造。
【請求項１０】
前記案内板の末端に取り付けられる複数の照明灯を更に含むことを特徴とする請求項９に記載の建物屋根の構造。
【請求項１１】
前記通気屋根の中央部に位置する屋根棟を更に含み、且つ、前記屋根棟に前記断熱板に散水して温度を降下できる散水装置が取り付けられることを特徴とする請求項１に記載の建物屋根の構造。
【考案の詳細な説明】
【技術分野】
【０００１】
本考案は、建物屋根の構造に関し、特に、自然換気の効果を利用して省電力に達成し、屋内及び屋根の温度を下げることができる通気屋根に関する。
【背景技術】
【０００２】
一般的なトタン家屋は、迅速に建てられる効果があるため、臨時に建てられる集会所、家屋、工場、倉庫、市場に使用できるが、直射日光が当たる状況において、トタン家屋内の温度が急速に上昇しやすいため、往々にしてトタン屋根内に天吊型扇風機を取り付けて、トタン家屋内の温度を下げている。
【０００３】
熱空上昇の物理現像により、熱気がトタン家屋内の頂部に集中するため、天井吊り下げ扇風機を屋根箇所に取り付けて、逆に屋内頂部の熱風を下に向かって吹き出す。
【０００４】
これに鑑み、当業者がトタン家屋外に複数の屋根式排気ファンを増設することで、通気効果を奏してきた。
【０００５】
しかしながら、この方法は、自然風によって駆動することで、排気ファンの回転を起動できるため、その換気効率が高くなかった。
【０００６】
上述の各種従来の構造設計の不良によって生じた各種の問題点に鑑み、本考案者は鋭意研究を重ねていたところ、実用効果を持つ本考案を開発するに至った。
【考案の概要】
【考案が解決しようとする課題】
【０００７】
本考案は、自然換気の効果を利用して屋内及び屋根の温度を下げることができる通気屋根を提供することを主な目的とする。
【課題を解決するための手段】
【０００８】
通気屋根は、該建物頂部に建てられた骨組みと、該骨組みに架設された少なくとも１個の中空部材と、該中空部材の上にふ設された防水層と、該防水層の上方位置に設けられ断熱板と、を含む。
【０００９】
該中空部材は、主に複数の仕切板からなり、各該仕切板で通気用に供する複数の放熱空間を形成し、該中空部材も放熱空間を有する複数の中空レンガからなることができ、各該中空レンガがアレイ方法で該防水層の上方に配置される。該中空部材も放熱空間を有する複数の中空長方形レンガからなることができ、各該中空長方形レンガの並列方法で該防水層の上方に配置される。
【００１０】
該建物屋根の構造の一実施例によれば、各該レンガは、別の該レンガと互いに結合して固定できる接合部を形成する。
【００１１】
該建物屋根の構造の一実施例によれば、各該中空部材の換気口に取り付けられる複数の隔離網を更に含む。
【００１２】
該建物屋根の構造の一実施例によれば、該断熱板は屋瓦或いはソーラーパネルのいずれかとし、且つ該断熱板の末端に雨水排水を導き、複数の排水孔を設けた少なくとも１個の案内板に取り付けられる。
【００１３】
該建物屋根の構造の一実施例によれば、該案内板に対応すると共に雨水を集める集水槽を該骨組みに取り付け、並びに該案内板の末端に複数の照明灯を取り付ける。
【００１４】
本考案は、該屋根の中央部に位置する屋根棟を更に含み、且つ該屋根棟に該断熱板に散水して温度を降下できる散水装置が取り付けられる。
【考案の効果】
【００１５】
本考案は、外部ファン或いは換気装置による換気の必要がないため、外部ファン或いは換気装置を定期的に保守する必要がなく、従って関連装置の支出も減らすことができる。
【００１６】
本考案では、中空部材が奏する自然換気や放熱の効果を運用して、屋内の温度を下げる。
【図面の簡単な説明】
【００１７】
【図１】本考案に係る第１の実施例の構造を示す図である。
【図２】本考案に係る第１の実施例の仕切板構造を示す図である。
【図２Ａ】第１の実施例の案内板を取り付けた様子の断面構造を示す図である。
【図２Ｂ】本考案に係る案内板構造立体図である。
【図３】本考案に係る第２の実施例の構造を示す図である。
【図４】本考案に係る第２の実施例の中空レンガ構造を示す図である。
【図５】本考案に係る第３の実施例の中空長方形レンガ構造を示す図である。
【図６】本考案に係る各レンガの接合構造を示す図である。
【図７】本考案に係る建物の内部と屋根通気の断面図である。
【考案を実施するための形態】
【００１８】
（第１の実施例）図１及び図２を参照しながら説明する。本考案の建物屋根の構造の第１の実施例によれば、本考案は建物の通気屋根で、この通気屋根１は主に骨組み１０と中空部材１２と防水層１４と断熱板１６とからなる。建物の頂部に建てられる骨組み１０に複数の中空部材１２が架設される。第１の実施例内の中空部材１２は複数の仕切板１２０からなり、各該仕切板１２０で通気用に供する複数の放熱空間１２２を形成し、中空部材１２上の順番通りふ設した防水層１４及び断熱板１６が、大部分の熱エネルギーを遮断でき、同時に雨水又は温度降下のために散水する水の浸透を防止できる。断熱板１６は、屋瓦以外に現行のグリーンビルディングによく使用されるソーラーパネル（本実施例は一般的な屋瓦を例とする）も運用できる。その外、実施例内の中空部材１２は仕切板１２０からなるため、全体的な換気効果として実際のニーズによって仕切板１２０の配置方法及び方向を変更することで、全体的な空気対流を高めて好適な換気効果を奏する。次に、鳥が放熱空間１２２内に巣を作ることを避けるため、外気吸込口に隔離網１８を取り付けて前述の状況を防止し、同時に異物が放熱空間１２２に侵入することも阻止できる。
【００１９】
また、雨天に対応し且つ屋根の雨水の水溜まりによる問題を避けるため、本実施例において、図２Ａ及び図２Ｂ図に示すように前記実施例の構造を仕組みとし、この図の中から本考案内の断熱板１６末端に少なくとも１個の案内板１６０を取り付け、案内板１６０に複数の排水孔１６０２が形成され、各排水孔１６０２を通じて雨水を下に向けて排水でき、こうすると屋根排水の目的を効果的に達成できることを分かる。この外、水資源再利用の目的を達成するため、骨組み１０に案内板１６０に対応して雨水を集める集水槽１７が取り付けられ、集水槽１７内の雨水を溜め、事後断熱板１６の温度降下のために用いることができる。雨水をスムーズに断熱板１６に噴射させるため、本考案の通気屋根中央部に屋根棟１１を有し、且つ屋根棟１１に散水装置１９を取り付ける。こうすると、散水装置１９を通じて集めた雨水を熱を受けて高温になった断熱板１６に噴射し、散水による温度降下の目的を達成するだけではなく、同時に水資源回収や再利用の意図に適合し、本考案が更に省エネや二酸化炭素排出量削減というグリーンビルディング概念を満たす。上記構造以外に、案内板１６０末端に複数の照明灯１６０４を取り付けることができ、照明灯１６０４から投射された光を流れる水柱に照射することで、視学上の美感を増すことができる。
【００２０】
（第２の実施例）図３及び図４を参照しながら説明する。第２の実施例と前記実施例との相違点は、中空部材１２ａが主に放熱空間１２２ａを有する複数の中空レンガ１２０ａからなり、各該中空レンガ１２０ａがアレイ方法で該防水層１４ａの上方に配置されることである。中空レンガ１２０ａは、市販されている既存の規格及び製品を採用できるため、架設時直接１個ずつアレイ方法で組積することで、建設時間を短縮する。中空部材１２ａの構造を除き、全ては第１の実施例と同じであり、唯一の異なる箇所は断熱板１６ａをソーラーパネルとする例であるため、ここでの記述を省略する。
【００２１】
（第３の実施例）前記の２種類の実施例以外に、図５に示すように第３の実施例の中空部材１２ｂは、主に放熱空間１２２ｂを有する複数の中空長方形レンガ１２０ｂからなり、各該中空長方形レンガ１２０ｂが並列方法で該防水層１４ｂの上方に配列される。この種の中空部材１２ｂは、主に屋根の長さ或いは幅によって別途製作し、並列方法で中空長方形レンガ１２０ｂを屋根に組積する。この種の中空部材１２ｂは、中空長方形レンガ１２０ｂの組積量を大幅に減らすことができ、また同時に好ましい換気効果も奏することができる。中空部材１２ｂの構造を除き、全て第１の実施例と同じであるため、ここでの記述を省略する。
【００２２】
本考案の中で運用される中空部材１２は、均しく骨組み１０の上に架設される。しかし屋内の好適な換気効果を奏するため、骨組み１０と中空部材１２が連通状態（第２と第３の実施例において連通しない構造）となる。図７を参照しながら説明する。図７の断面図において仕切板１２０が主に骨組み１０の上に設けられ、仕切板１２０と仕切板１２０間の放熱空間１２２と屋内空間とを連通させ、よって屋内の熱気上昇時直接放熱空間１２２に入ってから自然換気や放熱の方法を通じて室内温度を下げる。直接日光が強いほど、空気の熱対流現象も益々顕著になり、空気の流通も益々頻繁になることがはっきり分かる。言い換えると、熱い天気ほど、屋内空気の流通効果が良くなる。こうすると電力による熱気排出に依存しなくても、自然エネルギーで屋内の空気流通目的を達成できる。
【００２３】
この外に、図６内において各レンガの接合状態がはっきり分かる。このレンガは中空レンガ１２０ａを例とし、且つ同時に１個の中空レンガ１２０ａに複数の放熱空間１２２ａを有し、各中空レンガ１２０ａを互いに固定させることができるため、主に各中空レンガ１２０ａ側辺に接合部１２０２ａを形成し、別のレンガ上の接合部１２０２ａと互いに結合して固定できる。こうすると、組立時に固定しやすいだけではなく、更に定位の機能を有する。
【００２４】
よって、上記構造を介して奏することができる働きは、以下に記述する。
１．自然換気の効果を利用して屋根の温度を下げることができる通気屋根。
２．外部ファン又は換気装置による換気の必要がないため、外部ファン又は換気装置を別途定期的に保守する必要がなく、従って関連装置の支出を減らすことができる。
３．中空部材が奏する自然換気や放熱の効果を運用して室内温度を降下するため、省エネや二酸化炭素排出量削減のグリーンビルディング概念に適合し、建物の住まい品質を高める。
【００２５】
本考案は、過去に比べても確実に全く異なる屋根構造を開示するものであって、自然換気の効果を利用して屋根の温度を下げる効果を奏する。前記好ましい実施例は、あくまでも本考案の技術内容を明らかにするものであって、この例によって何ら制限されるものではない。本考案の実用新案登録請求範囲及び明細書の内容に基いて種々の改良変更をなし得ることは、本考案の範囲内に含めるものであるのが勿論である。
【符号の説明】
【００２６】
１                                    屋根
１０                                           骨組み
１１                                           屋根棟
１２、１２ａ、１２ｂ                         中空部材
１２０                                                       仕切板
１２０ａ                                       中空レンガ
１２０２ａ                                    接合部
１２０ｂ                                       中空長方形レンガ
１２２、１２２ａ、１２２ｂ   放熱空間
１４、１４ａ、１４ｂ                         防水層
１６、１６ａ                                  断熱板
１６０                                                       案内板
１６０２                                      排水孔
１６０４                                      照明灯
１７                                           集水槽
１８                                  隔離網
１９                                  散水装置
【図１】
0003187950.tif 000003
【図２】
0003187950.tif 000004
【図２Ａ】
0003187950.tif 000005
【図２Ｂ】
0003187950.tif 000006
【図３】
0003187950.tif 000007
【図４】
0003187950.tif 000008
【図５】
0003187950.tif 000009
【図６】
0003187950.tif 000010
【図７】
0003187950.tif 000011
【手続補正書】
【提出日】平成25年10月23日(2013.10.23)
【手続補正１】
【補正対象書類名】実用新案登録請求の範囲
【補正対象項目名】全文
【補正方法】変更
【補正の内容】
【実用新案登録請求の範囲】
【請求項１】
建物頂部に建てられた骨組みと、
前記骨組みに架設された少なくとも１個の中空部材と、
前記中空部材の上にふ設された防水層と、
前記防水層の上方位置に設けられ断熱板と、
を含むことを特徴とする建物屋根の構造。
【請求項２】
前記中空部材は、主に複数の仕切板からなり、各前記仕切板で通気用に供する複数の放熱空間を形成することを特徴とする請求項１に記載の建物屋根の構造。
【請求項３】
前記中空部材は、主に放熱空間を有する複数の中空レンガからなり、各前記中空レンガがアレイ方法で前記防水層の上方に配置されることを特徴とする請求項１に記載の建物屋根の構造。
【請求項４】
前記中空部材は、主に放熱空間を有する複数の中空長方形レンガからなり、各前記中空長方形レンガが並列方法で前記防水層の上方に配置されることを特徴とする請求項１に記載の建物屋根の構造。
【請求項５】
各前記レンガに別の前記レンガと互いに結合して固定できる接合部が設けられることを特徴とする請求項３、又は、４に記載の建物屋根の構造。
【請求項６】
各前記中空部材の換気口に取り付けられる複数の隔離網を更に含むことを特徴とする請求項１〜４のいずれか一項に記載の建物屋根の構造。
【請求項７】
前記断熱板の末端に雨水排水を導くための少なくとも１個の案内板に取り付けられることを特徴とする請求項１に記載の建物屋根の構造。
【請求項８】
前記案内板の上に複数の排水孔が設けられることを特徴とする請求項７に記載の建物屋根の構造。
【請求項９】
前記案内板に対応すると共に雨水を集める集水槽を前記骨組みに取り付けることを特徴とする請求項８に記載の建物屋根の構造。
【請求項１０】
前記案内板の末端に取り付けられる複数の照明灯を更に含むことを特徴とする請求項９に記載の建物屋根の構造。
【請求項１１】
前記断熱板のトップに位置する屋根棟を更に含み、且つ、前記屋根棟に前記断熱板に散水して温度を降下できる散水装置が取り付けられることを特徴とする請求項１に記載の建物屋根の構造。
【手続補正２】
【補正対象書類名】明細書
【補正対象項目名】００１９
【補正方法】変更
【補正の内容】
【００１９】
また、雨天に対応し且つ屋根の雨水の水溜まりによる問題を避けるため、本実施例において、図２Ａ及び図２Ｂ図に示すように前記実施例の構造を仕組みとし、この図の中から本考案内の断熱板１６末端に少なくとも１個の案内板１６０を取り付け、案内板１６０に複数の排水孔１６０２が形成され、各排水孔１６０２を通じて雨水を下に向けて排水でき、こうすると屋根排水の目的を効果的に達成できることを分かる。この外、水資源再利用の目的を達成するため、骨組み１０に案内板１６０に対応して雨水を集める集水槽１７が取り付けられ、集水槽１７内の雨水を溜め、事後断熱板１６の温度降下のために用いることができる。雨水をスムーズに断熱板１６に噴射させるため、本考案の断熱板１６のトップに屋根棟１１を有し、且つ屋根棟１１に散水装置１９を取り付ける。こうすると、散水装置１９を通じて集めた雨水を熱を受けて高温になった断熱板１６に噴射し、散水による温度降下の目的を達成するだけではなく、同時に水資源回収や再利用の意図に適合し、本考案が更に省エネや二酸化炭素排出量削減というグリーンビルディング概念を満たす。上記構造以外に、案内板１６０末端に複数の照明灯１６０４を取り付けることができ、照明灯１６０４から投射された光を流れる水柱に照射することで、視学上の美感を増すことができる。